(57)【要約】【課題】プラガブル光モジュールと光伝送装置との間の整合性を簡易な構成にて確立すること。【解決手段】プラガブル電気コネクタ１は、光伝送装置１０に対して挿抜可能に構成される。光変調器３は、デジタル信号ＤＡＴ１に基づいて変調される光信号ＬＳ１を出力する。制御部５は、光変調器３の変調動作を制御する。制御部５は、光伝送装置１０が設定処理を開始するためのトリガとなるドライバ信号ＤＲＶを出力する。ドライバ信号ＤＲＶは、光変調器３の変調動作を光伝送装置１０に監視させ、監視結果に基づいて、光伝送装置１０から入力されるデジタル信号ＤＡＴ１の補正処理、及び、変調動作にかかる設定条件を示す制御信号ＣＯＮの出力処理、の一方又は両方を光伝送装置１０に行わせる。【選択図】図１
2020110014.tif 000002
【特許請求の範囲】
【請求項１】
光伝送装置に対して挿抜可能に構成されるプラガブル電気コネクタと、
データ信号に基づいて変調される光信号を出力する光変調器と、
前記光変調器の変調動作を制御する制御部と、を備え、
前記制御部は、前記光伝送装置が設定処理を開始するためのトリガとなるドライバ信号をさらに出力し、
前記ドライバ信号は、
前記光変調器の変調動作を前記光伝送装置に監視させ、
監視結果に基づいて、前記光伝送装置から入力される前記データ信号の補正処理、及び、前記変調動作にかかる設定条件を示す制御信号の出力処理、の一方又は両方を前記光伝送装置に行わせる、
プラガブル光モジュール。
【請求項２】
前記制御部は、前記制御信号を受け取った場合、前記制御信号に基づいて前記光変調器の変調動作を制御する、
請求項１に記載のプラガブル光モジュール。
【請求項３】
前記プラガブル電気コネクタは、前記光伝送装置との間で双方向通信が可能である、
請求項１又は２に記載のプラガブル光モジュール。
【請求項４】
前記制御部は、前記光変調器から前記変調動作の状態を示す動作情報を受け取り、前記動作情報又は前記動作情報に基づいた動作信号を前記光伝送装置に出力する、
請求項１乃至３のいずれか一項に記載のプラガブル光モジュール。
【請求項５】
前記動作信号は、前記光変調器から出力される光信号の信号品質に関する情報をさらに含む、
請求項４に記載のプラガブル光モジュール。
【請求項６】
前記制御部は、前記プラガブル電気コネクタが前記光伝送装置に挿入された場合、前記ドライバ信号を出力する、
請求項１乃至５のいずれか一項に記載のプラガブル光モジュール。
【請求項７】
前記制御部は、前記光伝送装置の運用中において前記光変調器の変調方式が切り替わった場合、前記ドライバ信号を出力する、
請求項１乃至５のいずれか一項に記載のプラガブル光モジュール。
【請求項８】
外部から入力される光信号を受信する光受信部をさらに備え、
前記光受信部は、入力される前記光信号を複数チャネルの電気信号に変換し、
変換された前記電気信号は、前記プラガブル電気コネクタから前記光伝送装置に出力される、
請求項１乃至７のいずれか一項に記載のプラガブル光モジュール。
【請求項９】
請求項１乃至８のいずれか一項に記載のプラガブル光モジュールを含み、
ＤＳＰ（Digital Signal Processor）をさらに備え、
前記プラガブル光モジュールに関する前記光伝送装置が行う信号処理を前記ＤＳＰが行う、
光トランシーバ。
【請求項１０】
光伝送装置に対して挿抜可能に構成されるプラガブル電気コネクタと、データ信号に基づいて変調される光信号を出力する光変調器と、前記光変調器の変調動作を制御する制御部と、を有するプラガブル光モジュールの前記制御部から、前記光伝送装置が設定処理を開始するためのトリガとなるドライバ信号を出力して、
前記光変調器の変調動作を前記光伝送装置に監視させ、
監視結果に基づいて、前記光伝送装置から入力される前記データ信号の補正処理、及び、前記変調動作にかかる設定条件を示す制御信号の出力処理、の一方又は両方を前記光伝送装置に行わせる、
光伝送システムの設定方法。
【発明の詳細な説明】
【技術分野】
【０００１】
本発明はプラガブル光モジュール、光トランシーバ及び光伝送システムの設定方法に関する。
【背景技術】
【０００２】
光伝送システムを用いたデータ通信では、光伝送路を介して伝送されるデータ量の増加が一層進展している。これを実現できる技術の一つに、多値変調によって波長多重伝送時の周波数利用効率を増大させる技術がある。
【０００３】
近年、多値変調方式の光伝送システムにおいては、デジタルコヒーレント通信の導入が進んでいる。また、デジタルコヒーレント通信に供する装置のローエンド化、低コスト化が進む中で、光トランシーバをプラガブル光モジュールとして構成する光伝送システムの導入が進展している（例えば、特許文献１）。
【０００４】
デジタルコヒーレント通信では、伝送信号の変調処理及び復調処理を行うデジタル信号処理装置とデジタルコヒーレントプラガブル光モジュール（光トランシーバ）とがキー部品として用いられる。デジタル信号処理装置は伝送信号処理を行い、デジタルコヒーレントプラガブル光モジュールに対して高速アナログ信号を入出力する。デジタルコヒーレントプラガブル光モジュールは、光信号を電気信号に変換し、又は、電気信号を光信号に変換する機能を有する。この構成では、デジタル信号処理装置は、デジタルコヒーレントプラガブル光モジュールが挿抜可能に構成された光伝送装置に搭載されている。
【先行技術文献】
【特許文献】
【０００５】
【特許文献１】特開２０１６−２５４９７号公報
【発明の概要】
【発明が解決しようとする課題】
【０００６】
デジタルコヒーレント通信においては、光伝送装置は、デジタル信号処理装置と光トランシーバとの間で伝達される電気信号や、光トランシーバが送出する光信号の劣化を防止して所望の伝送特性を実現できるように、それぞれに設定するパラメータを最適化した上で、光トランシーバと光伝送装置とを相互接続する必要がある。
【０００７】
また、一般に、デジタル信号処理装置とプラガブル光モジュールとの相性や、デジタル信号処理装置及びプラガブル光モジュールの個体差のために、光伝送システムの運用を開始する前に、デジタル信号処理装置及びプラガブル光モジュールの設定処理を行わなければならない。
【０００８】
例えば、プラガブル光モジュールを用いない、デジタル信号処理装置と光トランシーバなどの光部品を同じ光伝送装置に搭載する構成では、光伝送装置の設計管理を適切に行うことで、上記のパラメータの最適化や設定処理を行うことができた。
【０００９】
しかし、上述したように、光トランシーバをプラガブル光モジュールとして構成するシステムにおいては、プラガブル光モジュール及び光伝送装置のパラメータの最適化及び設定処理を別個に行う必要が有る。また、運用コスト削減やマルチベンダ採用の観点から、デジタル信号処理装置とプラガブル光モジュールとを複数ベンダから調達してシステムを構築する傾向が進んでおり、多くの装置ベンダやシステムのユーザにとって、デジタル信号処理装置とプラガブル光モジュールとの間の整合をとることに困難が生じている。
【００１０】
本発明は上記の事情に鑑みて成されたものであり、本発明の目的は、プラガブル光モジュールと光伝送装置との間の整合性を簡易な構成にて確立することである。
【課題を解決するための手段】
【００１１】
本発明の一態様であるプラガブル光モジュールは、光伝送装置に対して挿抜可能に構成されるプラガブル電気コネクタと、データ信号に基づいて変調される光信号を出力する光変調器と、前記光変調器の変調動作を制御する制御部と、を有し、前記制御部は、前記光伝送装置が設定処理を開始するためのトリガとなるドライバ信号をさらに出力し、前記ドライバ信号は、前記光変調器の変調動作を前記光伝送装置に監視させ、監視結果に基づいて、前記光伝送装置から入力される前記データ信号の補正処理、及び、前記変調動作にかかる設定条件を示す制御信号の出力処理、の一方又は両方を前記光伝送装置に行わせるものである。
【００１２】
本発明の一態様である光伝送システムの設定方法は、光伝送装置に対して挿抜可能に構成されるプラガブル電気コネクタと、データ信号に基づいて変調される光信号を出力する光変調器と、前記光変調器の変調動作を制御する制御部と、を有するプラガブル光モジュールの前記制御部から、前記光伝送装置が設定処理を開始するためのトリガとなるドライバ信号を出力して、前記光変調器の変調動作を前記光伝送装置に監視させ、監視結果に基づいて、前記光伝送装置から入力される前記データ信号の補正処理、及び、前記変調動作にかかる設定条件を示す制御信号の出力処理、の一方又は両方を前記光伝送装置に行わせるものである。
【発明の効果】
【００１３】
本発明によれば、プラガブル光モジュールと光伝送装置との間の整合性を簡易な構成にて確立することができる。
【図面の簡単な説明】
【００１４】
【図１】実施の形態１にかかるプラガブル光モジュール１００の構成を模式的に示すブロック図である。
【図２】実施の形態１にかかるプラガブル光モジュール１００が搭載される光伝送システム１０００の要部構成例を示すブロック図である。
【図３】実施の形態１にかかるプラガブル光モジュール１００を光ファイバ２１側から見た場合の斜視図である。
【図４】実施の形態１にかかるプラガブル光モジュール１００を光伝送装置１０側から見た場合の斜視図である。
【図５】プラガブル光モジュール１００と光伝送装置１０との間の初期設定動作を示すシーケンス図である。
【図６】実施の形態１にかかるプラガブル光モジュールの変形例を示す図である。
【発明を実施するための形態】
【００１５】
以下、図面を参照して本発明の実施の形態について説明する。各図面においては、同一要素には同一の符号が付されており、必要に応じて重複説明は省略される。
【００１６】
実施の形態１
実施の形態１にかかるプラガブル光モジュール１００について説明する。本実施の形態では、プラガブル光モジュール１００は、例えばデジタルコヒーレント光トランシーバとして構成することができる。図１は、実施の形態１にかかるプラガブル光モジュール１００の構成を模式的に示すブロック図である。図２は、実施の形態１にかかるプラガブル光モジュール１００が搭載される光伝送システム１０００の要部構成例を示すブロック図である。
【００１７】
本実施の形態では、図２に示すように、プラガブル光モジュール１００は、例えばコネクタ付きの光ファイバ２１のコネクタ部が挿抜可能に構成される。コネクタ付きの光ファイバ２１のコネクタとしては、例えばＬＣ型コネクタやＭＵ型コネクタを用いることができる。
【００１８】
プラガブル光モジュール１００は、通信ホストである光伝送装置１０から入力されるデータ信号であるデジタル信号ＤＡＴ１に基づいて変調された光信号ＬＳ１を、コヒーレント光トランシーバなどの他のプラガブル光モジュールへ送出可能に構成される。また、プラガブル光モジュール１００は、通信ホストである光伝送装置１０から入力される制御信号ＣＯＮに基づいて、光信号の変調動作や動作設定などを制御可能に構成される。
【００１９】
光伝送装置１０は、例えば、ＩＣ（Integrated Circuit）として構成されるデジタル信号処理部１１により、プラガブル光モジュール１００からの通信データ信号又はプラガブル光モジュール１００に入力する通信データ信号のフレーム処理等の通信データ処理を行う。
【００２０】
図１を参照して、プラガブル光モジュール１００の構成について具体的に説明する。プラガブル光モジュール１００は、プラガブル電気コネクタ１、光源２、光変調器３、駆動部４及び制御部５を有する。
【００２１】
プラガブル電気コネクタ１は、光伝送装置１０に対して挿抜可能に構成される。プラガブル電気コネクタ１は、光伝送装置１０から出力される制御信号ＣＯＮとデータ信号であるデジタル信号ＤＡＴ１とを受け取って、プラガブル光モジュール１００の各部に信号を転送可能に構成される。また、プラガブル電気コネクタ１は、制御部５から出力されるドライバ信号ＤＲＶと動作信号ＩＮＦとを、光伝送装置１０に転送可能に構成される。換言すれば、プラガブル電気コネクタ１は、プラガブル光モジュール１００と光伝送装置１０との間の双方向通信を可能とするように構成されるものである。
【００２２】
光源２は、光変調器３に光Ｌを出射する。光源２は、例えば半導体レーザや、半導体光素子とリング共振器とで構成される波長可変光モジュール等を用いることができる。光源２は、例えば、無変調連続波(Continuous Wave：ＣＷ)光を出力可能に構成される。
【００２３】
光変調器３は、例えばマッハツェンダ型光変調器であり、駆動部４が出力する変調信号ＭＯＤに応じて、所定の変調方式で光Ｌを変調した光信号ＬＳ１を、光ファイバ２１へ送出する。光変調器３は、位相変調、振幅変調、偏波変調などの各種の変調方式で、又は、各種の変調方式を組み合わせて光信号ＬＳ１を変調してもよい。
【００２４】
駆動部４は、プラガブル電気コネクタ１を介して、データ信号であるデジタル信号ＤＡＴ１を受け取り、例えばデジタル信号ＤＡＴ１に応じて生成した変調信号ＭＯＤを、光変調器３に出力する。駆動部４は、例えば、光変調器３が必要とするレベルまでデジタル信号ＤＡＴ１を増幅することで、変調信号ＭＯＤを生成してもよい。
【００２５】
制御部５は、プラガブル電気コネクタ１を介して入力される制御信号ＣＯＮに基づいて生成した制御信号ＣＯＮ１によって、光変調器３の変調動作を制御する。例えば、光変調器３が導波路上に設けられた位相変調領域に駆動信号を印加することで変調動作を行うマッハツェンダ型光変調器である場合、制御部５は、位相変調領域に所定のバイアス電圧が印加されるように光変調器３を設定することで、光変調器３の動作点を制御することができる。また、制御部５は、光信号ＬＳ１の光強度を制御可能に構成されてもよい。
【００２６】
ここで、位相変調領域について説明する。位相変調領域とは、光導波路上に形成された電極を有する領域である。そして、電極に電気信号、例えば電圧信号が印加されることにより、電極の下の光導波路の実効屈折率が変化する。その結果、位相変調領域の光導波路の実質的な光路長を変化させることができる。これにより、位相変調領域は、光導波路を伝搬する光信号の位相を変化させることができる。そして、２本の光導波路の間を伝搬する光信号間に位相差を与えることで、光信号を変調することができる。
【００２７】
また、制御部５は、光伝送装置１０に所定の設定処理の開始を指令するドライバ信号ＤＲＶを、プラガブル電気コネクタ１を介して光伝送装置１０に出力する。設定処理の詳細については後述する。
【００２８】
更に、制御部５は、光変調器３から出力される、光変調器３の変調動作を示す動作信号ＩＮＦを受け取り、プラガブル電気コネクタ１を介して、光伝送装置１０へ転送してもよい。この際、制御部５は、光変調器３の変調動作を示す動作信号ＩＮＦを受け取り、光伝送装置１０での信号処理に適した信号に変換した後に、動作信号ＩＮＦを出力してもよい。光伝送装置１０は、この動作信号ＩＮＦを参照することで、光変調器３の変調動作を監視することができる。
【００２９】
動作信号ＩＮＦは、例えば、図２に示すように、光変調器３に設けられたフォトダイオード３１で光信号ＬＳ１の一部を光電変換することで生成してもよい。この場合、光伝送装置１０は、動作信号ＩＮＦを参照することで、プラガブル光モジュール１００が出力する光信号ＬＳ１の信号品質を監視することが可能である。
【００３０】
ここで、制御部５の構成例について説明する。制御部５は、例えば、記憶部５１及び演算部５２を有する。記憶部５１は、ドライバ信号ＤＲＶ、光変調器３が出力する動作信号ＩＮＦ、及び、光伝送装置１０から与えられる信号ＣＯＮを格納可能に構成される。演算部５２は、記憶部５１に格納された情報に基づいて、光変調器３の動作を制御するために必要な演算処理を行うように構成される。演算部５２は、例えば、光変調器３に対して、位相変調領域に印加するバイアス電圧の値を指定する制御信号ＣＯＮ１を生成する。
【００３１】
次いで、プラガブル光モジュール１００の外観を示す。図３は、実施の形態１にかかるプラガブル光モジュール１００を光ファイバ２１側から見た場合の斜視図である。図３に示す符号６１は、プラガブル光モジュール１００の上面を示す。図３に示す符号６２は、光ファイバ２１のコネクタの差込口を示す。図４は、実施の形態１にかかるプラガブル光モジュール１００を光伝送装置１０側から見た場合の斜視図である。図４に示す符号６３は、プラガブル光モジュール１００の下面を示す。図４に示す符号６４は、プラガブル電気コネクタ１の光伝送装置１０との接続部を示す。
【００３２】
次いで、光伝送システム１０００におけるプラガブル光モジュール１００及び光伝送装置１０の設定動作について説明する。図５は、プラガブル光モジュール１００と光伝送装置１０との間の初期設定動作を示すシーケンス図である。以下では、この設定動作が、例えばプラガブル光モジュール１００を光伝送装置１０に初めて挿入するときの初期設定として行われる例について説明する。
【００３３】
ステップＳ１
光伝送装置１０に設けられたデジタル信号処理部１１は、プラガブル光モジュール１００の制御部５から、ドライバ信号ＤＲＶをダウンロードする。このダウンロード処理は、デジタル信号処理部１１がプラガブル光モジュール１００の挿入を自動的に検知することで開始されるプラグアンドプレイ動作として行ってもよいし、光伝送システム１０００を構築する者（例えば装置ベンダやユーザ）がデジタル信号処理部１１に指令を与えることで開始されてもよい。
【００３４】
ステップＳ２
デジタル信号処理部１１は、読み込んだドライバ信号ＤＲＶが指定する動作を実行する。
【００３５】
ステップＳ３
ドライバ信号ＤＲＶが指定する動作を実行することで、デジタル信号処理部１１は、プラガブル光モジュール１００の状態を監視し、監視結果に基づいてプラガブル光モジュール１００に与えるデジタル信号ＤＡＴ１の補正処理を行うための設定条件と、プラガブル光モジュール１００へ設定すべき好適な設定条件を決定する。
【００３６】
ステップＳ４
そして、デジタル信号処理部１１は、決定した設定条件を、光伝送装置１０に設定する。具体的には、デジタル信号処理部１１は、プラガブル光モジュール１００が出力する光信号ＬＳ１を所望の信号品質とするため、プラガブル光モジュール１００に与えるデジタル信号ＤＡＴ１を補正する処理を行うことができる。
【００３７】
ステップＳ５
その後、デジタル信号処理部１１は、決定した設定条件を含む制御信号ＣＯＮを、プラガブル光モジュール１００へ送出する。
【００３８】
ステップＳ６
制御部５は、プラガブル電気コネクタ１を介して、設定情報を含む制御信号ＣＯＮを受け取り、設定情報に基づいて、例えばパラメータ設定等が反映された制御信号ＣＯＮ１を光変調器３へ出力することで、光変調器３の動作設定を実行する。具体的には、制御部５は、制御信号ＣＯＮ１を光変調器３に与えることで、マッハツェンダ型光変調器として構成されている光変調器３の位相変調領域に印加するバイアス電圧を調整できる。これにより、光信号ＬＳ１を所望の信号品質とすることが可能である。
【００３９】
これにより、光伝送装置１０とプラガブル光モジュール１００との間の接続状態を最適化することで、光信号の信号品質を最大限に引き出し、光伝送装置１０とプラガブル光モジュール１００と間の整合性を確保することができる。
【００４０】
なお、上記のステップＳ４における光伝送装置１０の設定処理と、ステップＳ６におけるプラガブル光モジュール１００の設定処理は、必要に応じて、両方を実行してもよいし、いずれか一方のみ実行してもよい。
【００４１】
以上、本構成によれば、プラガブル光モジュール１００から光伝送装置１０へ、プラガブル光モジュール１００及び光伝送装置１０に設定すべき設定条件を導出するため、プラガブル光モジュール１００の変調方式や動作に応じたドライバ信号を提供することで、プラガブル光モジュール１００及び光伝送装置１０へ他のデータや指令を与えることなく、伝送信号特性を所望の品質とすることができる。
【００４２】
この設定条件の決定及び設定は、ドライバ信号が指定する動作を実行することで自動的に行われるので、信号のキャリブレーション設定や事前の調整に時間をかけることなく良好な信号特性を実現でき、ネットワーク運用を開始できる。そのため、光伝送システムの運用コストを好適に低減することができる。
【００４３】
また、光伝送装置や光伝送システムの運用を開始した後においても、必要に応じてプラガブル光モジュール１００及び光伝送装置１０の設定処理を実行することにより、変調方式の切り替えや、環境要因などの長期変動といった経時変化の影響を補償することができるので、光伝送システムの長期信頼性を向上させることも可能である。
【００４４】
更に、ホスト（光伝送装置）と光トランシーバ（プラガブル光モジュール）との間のインターフェイスとしてレジスタが定義された場合、レジスタが指定する分解能や変化量に対して規格整合するように、ドライバを実行して設定を行ってもよい。この場合、ホスト及び光トランシーバの設計の効率化、省力化をすることができるので、製品開発期間の短縮を実現することができる。
【００４５】
その他の実施の形態
なお、本発明は上記実施の形態に限られたものではなく、趣旨を逸脱しない範囲で適宜変更することが可能である。例えば上述では、プラガブル光モジュール１００が光信号ＬＳ１の送出機能を有するものとして説明したが、プラガブル光モジュールは外部から入力される光信号を受信する機能を有していてもよい。図６は、実施の形態１にかかるプラガブル光モジュールの変形例を示す図である。図６のプラガブル光モジュール１０１は、プラガブル光モジュール１００に光受信部６を追加した構成を有する。
【００４６】
光受信部６は、例えば、コネクタ付きの光ファイバ２２のコネクタ部が挿抜可能に構成される。コネクタ付きの光ファイバ２２のコネクタとしては、例えば光ファイバ２１のコネクタと同様に、ＬＣ型コネクタやＭＵ型コネクタを用いることができる。
【００４７】
光受信部６は、光ファイバ２２を介して入力される光信号ＬＳ２を、複数チャネルの電気信号であるデジタル信号ＤＡＴ２に変換する。そして、光受信部６は、プラガブル電気コネクタ１を介して、光伝送装置１０へデジタル信号ＤＡＴ２を出力する。光伝送装置１０は、デジタル信号処理部１１でデジタル信号ＤＡＴ２を処理することで、必要な情報を取得することができる。
【００４８】
上述の実施の形態では、デジタル信号処理部１１をＩＣとして構成する例について説明したが、例えばＣＦＰ２−ＡＣＯ（Analog Coherent Optics）などにおいては、デジタル信号処理部１１をＤＳＰ（Digital Signal Processor）として構成してもよい。
【００４９】
上述の実施の形態で参照した図においては、プラガブル光モジュールに設けられた構成要素間、及び、光伝送システムに設けられた構成要素（プラガブル光モジュール及び光伝送装置）間での信号の伝達を矢印を用いて表したが、これは２つの構成要素間で一方向のみに信号が伝達されることを意味するものではなく、適宜双方向の信号のやり取りが可能であることは言うまでもない。
【００５０】
上記の実施の形態の一部又は全部は、以下の付記のようにも記載され得るが、以下には限られない。
【００５１】
（付記１）光伝送装置に対して挿抜可能に構成され、前記光伝送装置との間で双方向通信が可能であるプラガブル電気コネクタと、前記プラガブル電気コネクタを介して前記光伝送装置から入力されるデータ信号に基づいて変調信号を出力する駆動部と、光源と、前記光源から出射された光を、前記変調信号に基づいて変調した光信号を出力する光変調器と、前記光変調器の変調動作を制御する制御部と、を有し、前記制御部は、設定処理の開始を指令するドライバ信号を、前記プラガブル電気コネクタを介して前記光伝送装置に出力し、前記光伝送装置は、前記ドライバ信号に応じて前記光変調器の変調動作を監視し、監視結果に基づいて、前記データ信号の補正処理、及び、前記変調動作にかかる設定条件を示す制御信号の前記制御部への出力処理の一方又は両方を行い、前記制御部は、前記制御信号を受け取った場合、前記制御信号に基づいて前記光変調器の変調動作を制御する、プラガブル光モジュール。
【００５２】
（付記２）前記制御部は、前記光変調器から前記変調動作の状態を示す動作情報を受け取り、前記プラガブル電気コネクタを介して前記動作情報に基づいた動作信号を前記光伝送装置に出力し、前記光伝送装置は、前記動作信号に基づいて、前記変調動作の状態を監視する、付記１に記載のプラガブル光モジュール。
【００５３】
（付記３）前記光変調器は、前記光信号の一部を光電変換した信号を、前記動作情報として前記制御部へ出力する、付記２に記載のプラガブル光モジュール。
【００５４】
（付記４）前記光変調器は、光導波路上に位相変調領域が設けられたマッハツェンダ型光変調器として構成され、前記制御部は、前記制御信号に基づいて、前記位相変調領域に与えるバイアス電圧を制御可能に構成される、付記１乃至３のいずれかに記載のプラガブル光モジュール。
【００５５】
（付記５）前記プラガブル電気コネクタが前記光伝送装置に挿入されたときに、前記制御部は、前記ドライバ信号を出力し、前記光伝送装置は、前記ドライバ信号に応じて前記光変調器の変調動作を監視し、監視結果に基づいて、前記データ信号の補正処理、及び、前記制御信号の前記制御部への出力処理の一方又は両方を行う、付記１乃至４のいずれかに記載のプラガブル光モジュール。
【００５６】
（付記６）
光伝送装置と、前記光伝送装置に挿抜可能に構成されるプラガブル光モジュールと、を有し、前記プラガブル光モジュールは、前記光伝送装置に対して挿抜可能に構成され、前記光伝送装置との間で双方向通信が可能であるプラガブル電気コネクタと、前記プラガブル電気コネクタを介して前記光伝送装置から入力されるデータ信号に基づいて変調信号を出力する駆動部と、光源と、前記光源から出射された光を、前記変調信号に基づいて変調した光信号を出力する光変調器と、前記光変調器の変調動作を制御する制御部と、を有し、前記制御部は、設定処理の開始を指令するドライバ信号を、前記プラガブル電気コネクタを介して前記光伝送装置に出力し、前記光伝送装置は、前記ドライバ信号に応じて前記光変調器の変調動作を監視し、監視結果に基づいて、前記データ信号の補正処理、及び、前記変調動作にかかる設定条件を示す制御信号の前記制御部への出力処理の一方又は両方を行い、前記制御部は、前記制御信号を受け取った場合、前記制御信号に基づいて前記光変調器の変調動作を制御する、光伝送システム。
【００５７】
（付記７）前記制御部は、前記光変調器から前記変調動作の状態を示す動作情報を受け取り、前記プラガブル電気コネクタを介して前記動作情報に基づいた動作信号を前記光伝送装置に出力し、前記光伝送装置は、前記動作信号に基づいて、前記変調動作の状態を監視する、付記６に記載の光伝送システム。
【００５８】
（付記８）前記光変調器は、前記光信号の一部を光電変換した信号を、前記動作情報として前記制御部へ出力する、付記７に記載の光伝送システム。
【００５９】
（付記９）前記光変調器は、光導波路上に位相変調領域が設けられたマッハツェンダ型光変調器として構成され、前記制御部は、前記制御信号に基づいて、前記位相変調領域に与えるバイアス電圧を制御可能に構成される、付記６乃至８のいずれか一に記載の光伝送システム。
【００６０】
（付記１０）前記プラガブル電気コネクタが前記光伝送装置に挿入されたときに、前記制御部は、前記ドライバ信号を出力し、前記光伝送装置は、前記ドライバ信号に応じて前記光変調器の変調動作を監視し、監視結果に基づいて、前記データ信号の補正処理、及び、前記制御信号の前記制御部への出力処理の一方又は両方を行う、付記６乃至９のいずれかに記載の光伝送システム。
【００６１】
（付記１１）光伝送装置と、前記光伝送装置に挿抜可能に構成されるプラガブル光モジュールと、を有し、前記プラガブル光モジュールは、前記光伝送装置に対して挿抜可能に構成され、前記光伝送装置との間で双方向通信が可能であるプラガブル電気コネクタと、前記プラガブル電気コネクタを介して前記光伝送装置から入力されるデータ信号に基づいて変調信号を出力する駆動部と、光源と、前記光源から出射された光を、前記変調信号に基づいて変調した光信号を出力する光変調器と、前記光変調器の変調動作を制御する制御部と、を有する光伝送システムにおいて、前記制御部に、設定処理の開始を指令するドライバ信号を、前記プラガブル電気コネクタを介して前記光伝送装置へ出力させ、前記光伝送装置に、前記ドライバ信号に応じて前記光変調器の変調動作を監視させ、監視結果に基づいて、前記データ信号の補正処理、及び、前記変調動作にかかる設定条件を示す制御信号の前記制御部への出力処理の一方又は両方を行わせ、前記制御部に、前記制御信号を受け取った場合には、前記制御信号に基づいて前記光変調器の変調動作を制御させる、光伝送システムの設定方法。
【００６２】
（付記１２）前記光変調器に、前記変調動作の状態を示す動作情報を前記制御部に出力させ、前記制御部に、前記プラガブル電気コネクタを介して前記動作情報に基づいた動作信号を前記光伝送装置に出力させ、前記光伝送装置に、前記動作信号に基づいて、前記変調動作の状態を監視させる、付記１１に記載の光伝送システムの設定方法。
【００６３】
（付記１３）前記光変調器に、前記光信号の一部を光電変換した信号を、前記動作情報として前記制御部へ出力させる、付記１２に記載の光伝送システムの設定方法。
【００６４】
（付記１４）前記光変調器は、光導波路上に位相変調領域が設けられたマッハツェンダ型光変調器として構成され、前記制御部は、前記制御信号に基づいて、前記位相変調領域に与えるバイアス電圧を制御可能に構成される、付記１１乃至１３のいずれかに記載の光伝送システムの設定方法。
【００６５】
（付記１５）
前記プラガブル電気コネクタが前記光伝送装置に挿入されたときに、前記制御部に、前記ドライバ信号を出力させ、前記光伝送装置に、前記ドライバ信号に応じて前記光変調器の変調動作を監視させ、監視結果に基づいて、前記データ信号の補正処理、及び、前記制御信号の前記制御部への出力処理の一方又は両方を行わせる、付記１１乃至１４のいずれかに記載の光伝送システムの設定方法。
【００６６】
（付記１６）光伝送装置に対して挿抜可能に構成され、前記光伝送装置との間で双方向通信が可能であるプラガブル電気コネクタと、前記プラガブル電気コネクタを介して前記光伝送装置から入力されるデータ信号に基づいて変調信号を出力する駆動部と、光源と、前記光源から出射された光を、前記変調信号に基づいて変調した光信号を出力する光変調器と、前記光変調器の変調動作を制御する制御部と、を有するプラガブル光モジュールにおいて、前記制御部に、設定処理の開始を指令するドライバ信号を、前記プラガブル電気コネクタを介して前記光伝送装置へ出力させ、前記光伝送装置は、前記ドライバ信号に応じて前記光変調器の変調動作を監視した結果に基づいて、前記データ信号の補正処理、及び、前記変調動作にかかる設定条件を示す制御信号の前記制御部への出力処理の一方又は両方を行い、前記制御部に、前記制御信号を受け取った場合には、前記制御信号に基づいて前記光変調器の変調動作を制御させる、プラガブル光モジュールの設定方法。
【００６７】
（付記１７）前記光変調器に、前記変調動作の状態を示す動作情報を前記制御部に出力させ、前記制御部に、前記プラガブル電気コネクタを介して前記動作情報に基づいた動作信号を前記光伝送装置に出力させ、前記光伝送装置に、前記動作信号に基づいて、前記変調動作の状態を監視させる、付記１６に記載のプラガブル光モジュールの設定方法。
【００６８】
（付記１８）前記光変調器に、前記光信号の一部を光電変換した信号を、前記動作情報として前記制御部へ出力させる、付記１７に記載のプラガブル光モジュールの設定方法。
【００６９】
（付記１９）前記光変調器は、光導波路上に位相変調領域が設けられたマッハツェンダ型光変調器として構成され、前記制御部は、前記制御信号に基づいて、前記位相変調領域に与えるバイアス電圧を制御可能に構成される、付記１６乃至１８のいずれかに記載のプラガブル光モジュールの設定方法。
【００７０】
（付記２０）前記プラガブル電気コネクタが前記光伝送装置に挿入されたときに、前記制御部に、前記ドライバ信号を出力させ、前記光伝送装置に、前記ドライバ信号に応じて前記光変調器の変調動作を監視させ、監視結果に基づいて、前記データ信号の補正処理、及び、前記制御信号の前記制御部への出力処理の一方又は両方を行わせる、付記１６乃至１９のいずれかに記載のプラガブル光モジュールの設定方法。
【００７１】
以上、実施の形態を参照して本願発明を説明したが、本願発明は上記によって限定されるものではない。本願発明の構成や詳細には、発明のスコープ内で当業者が理解し得る様々な変更をすることができる。
【００７２】
この出願は、２０１６年１２月１９日に出願された日本出願特願２０１６−２４５４１０を基礎とする優先権を主張し、その開示の全てをここに取り込む。
【符号の説明】
【００７３】
１  プラガブル電気コネクタ
２  光源
３  光変調器
４  駆動部
５  制御部
６  光受信部
１０  光伝送装置
１１  デジタル信号処理部
２１、２２  光ファイバ
３１  フォトダイオード
５１  記憶部
５２  演算部
１００、１０１  プラガブル光モジュール
１０００  光伝送システム
ＣＯＮ、ＣＯＮ１  制御信号
ＤＡＴ１、ＤＡＴ２  デジタル信号
ＤＲＶ  ドライバ信号
Ｌ  光
ＬＳ１、ＬＳ２  光信号
ＭＯＤ  変調信号
【図１】
2020110014.tif 000003
【図２】
2020110014.tif 000004
【図３】
2020110014.tif 000005
【図４】
2020110014.tif 000006
【図５】
2020110014.tif 000007
【図６】
2020110014.tif 000008